(57)【要約】      （修正有）【課題】オス端子が差し込まれているかを検知できる電気コネクタを提供する。【解決手段】この電気コネクタにおいて、絶縁本体１０は台座１１、舌状板１２を有し、導電端子２０は接触部２１が舌状板１２から露出し、溶接部２３が台座１１の外にはみ出され、金属筐体３０は絶縁本体１０の外側を被覆し、金属筐体３０と舌状板１２とにより連結キャビティーが形成される。そして、絶縁本体１０にスロット１４を有する突出部１３が設けられ、金属筐体３０の欠け口３０２を通してはみ出される。この突出部１３の中のスロット１４に検知端子４０が位置決めされ、接触部４１が欠け口３０２から連結キャビティーの中へ入り、溶接部４３が台座１１の外へはみ出される。【選択図】図３
0003172188.tif 000002
【実用新案登録請求の範囲】
【請求項１】
（１）一つの絶縁本体と、複数の導電端子と、一つの金属筐体と、一つの検知端子とを備え、
（２）前記絶縁本体は、台座と前記台座から延ばされる舌状板とを有し、
（３）前記複数の導電端子はそれぞれ、接触部、溶接部を有し、前記絶縁本体に設けられて、前記接触部が前記舌状板から露出され、前記溶接部が前記台座の外にはみ出され、
（４）前記金属筐体は、前記絶縁本体の外側を被覆するように設けられて、前記金属筐体と前記舌状板が囲んで連結キャビティーが形成され、
（５）前記絶縁本体に突出部が延ばされて、前記突出部の中にスロットが設けられ、前記突出部が前記金属筐体に設けられた欠け口を通して、前記金属筐体からはみ出すように設けられ、
（６）前記検知端子は接触部及び溶接部を有し、前記スロットの中に位置決めされて、前記接触部が前記欠け口から前記連結キャビティーの中へ入り、前記溶接部が前記台座の外へはみ出される、
以上（１）−（６）からなる、
ことを特徴とする検知機能付き電気コネクタ。
【請求項２】
検知端子は一体成形により順次連続する接触部、固定部及び溶接部を備え、これに対応して、スロットは、固定槽と、この固定相に連結し、外側へ幅を広げる讓位槽とを備え、前記検知端子の接触部が前記讓位槽の中に設けられ、前記検知端子の固定部が前記固定槽の中に嵌め入れられ、前記検知端子の溶接部が前記固定部に対して下向きに折り曲げられて台座の外へはみ出されることを特徴とする請求項１に記載の検知機能付き電気コネクタ。
【請求項３】
讓位槽の前端に開口が設けられ、検知端子の接触部が前記開口に露出されることを特徴とする請求項２に記載の検知機能付き電気コネクタ。
【請求項４】
開口の前側に係止壁が設けられ、検知端子の接触部の前端が前記係止壁の外側面に突き止められることを特徴とする請求項３に記載の検知機能付き電気コネクタ。
【請求項５】
金属筐体は主体を備え、前記主体は天板、底板及びこれら天板と底板との間を連結するための側板を有し、前記天板、底板及び側板に囲まれて、中空キャビネットが形成され、前記側板に欠け口が設けられ、これに対応して突出部は絶縁本体の側面に設けられることを特徴とする請求項１に記載の検知機能付き電気コネクタ。
【請求項６】
突出部の内側上下各部にそれぞれ位置決め槽が設けられ、欠け口の上縁と下縁はそれぞれ対応する上下の前記各位置決め槽の中に嵌め入れられることを特徴とする請求項５に記載の検知機能付き電気コネクタ。
【請求項７】
欠け口は突出部が入るように後ろに向けて形成され、前記欠け口の上下の幅が二つの位置決め槽間の距離と釣り合いよく設けられることを特徴とする請求項６に記載の検知機能付き電気コネクタ。
【考案の詳細な説明】
【技術分野】
【０００１】
本考案は、検知機能付き電気コネクタに関する。
【背景技術】
【０００２】
現在、信号を送るための様々な電気コネクタがあり、その中でも、ＵＳＢやＨＤＭＩ仕様の電気コネクタが一番よく知られている。
既存のＵＳＢ電気コネクタは、一般に、図１に示すように、一つの絶縁本体１０′と、複数の導電端子２０′と、一つの金属筐体３０′とを備えて構成される。この場合、複数の導電端子２０′は信号を送るための中核の部品であり、絶縁本体１０′の上に設けられ、金属筐体３０′は、磁気干渉を防ぐために、絶縁本体１０′を被覆するように設けられる。
【考案の概要】
【考案が解決しようとする課題】
【０００３】
しかしながら、既存の電気コネクタは、信号伝送と付属のマスク、接地などの機能のみがあり、スイッチ構造がなく、オス側が差し込まれているか検知できないため、既存の電気コネクタを使用するときに、オス端子が電気コネクタに正しく差し込まれていないと、電気コネクタ側の導電端子とオス端子との間に正常な電気的接続が行われず、電気コネクタの使用性能にマイナスの影響を及ぼし、電気コネクタによる信号伝送の機能までなくなるということがよく発生している。このため、現在、検知機能付きの電気コネクタが切迫して求められており、このような電気コネクタにより、メス端子が差し込まれているかが検知できれば、ユーザはオス端子を正しく差し込むから、信号が通じるようになり、信号が正常に伝送されることが保証され、電気コネクタの使用寿命が向上することにつながるのである。
【０００４】
本考案は、このような従来の技術に存在する欠点に鑑みなされたもので、既存の電気コネクタではオス端子が正しく差し込まれているかを検知できないため、電気コネクタの使用性能にマイナスの影響を及ぼすという問題点を有効に解決し得る検知機能付き電気コネクタを提供すること、を目的とする。
【課題を解決するための手段】
【０００５】
上記の目的を達成するために、本考案の検知機能付き電気コネクタは、一つの絶縁本体、複数の導電端子と一つの金属筐体を備えてなり、該絶縁本体は、台座と該台座の上から伸ばされている舌状板を備えてなり、該複数の導電端子は、絶縁本体の上に設けられ、各導電端子の接触部はどれも舌状板が露出され、各導電端子の溶接部は台座の外にはみ出しており、該金属筐体は、絶縁本体の外側を被覆するように設けられ、金属筐体と舌状板が囲んで一対の連結キャビティーが形成されるが、さらに、検知端子を備えてなり、該絶縁本体の上に突出部が伸ばされ、該金属筐体の上に欠け口が設けられ、該突出部が該欠け口を通って、金属筐体からはみ出すように設けられており、それに、該突出部の中にスロットが設けられ、該検知端子は該スロットの中に位置決められているが、検知端子の接触部は欠け口から該連結キャビティーの中へ入り、検知端子の溶接部は台座の外へはみ出すように設けられていることを要旨とする。
この場合、該検知端子は、順次に成形、連結している接触部、固定部と溶接部を備えてなり、それに対応する該スロットは、固定槽と外側へ幅を広げた讓位槽を備えてなり、該讓位槽と固定槽が連結し、該検知端子の接触部は該讓位槽の中に設けられ、該検知端子の固定部は、該固定槽の中に嵌められており、検知端子の溶接部は固定部に対して、下向きへ折り曲げて台座の外へはみ出すように設けられていることが好ましい。
該讓位槽の前端に開口が設けられ、該検知端子の接触部は、該開口に露出されていることが好ましい。
該開口の前側に係止壁が設けられ、該検知端子の接触部の前端は、該係止壁の外側面に突き止めるように設けられていることが好ましい。
該金属筐体は主体と後ろ蓋を備えてなり、該主体は天板、底板及び天板と底板との間を連結するための側板を備えてなり、該天板、底板と側板が囲んで、中空キャビネットが形成されるが、該後ろ蓋は天板の後端面から下向きに折り曲げられ、伸ばされ、該キャビネットの後端の開口を蓋するように設けられており、該欠け口は該側板の上に、それに対応する該突出部は絶縁本体の側面の上に設けられていることが好ましい。
該突出部の上下表面はどれも位置決め槽が設けられ、該欠け口の上縁と下縁は、それに対応する位置決め槽の中に嵌められていることが好ましい。
該欠け口は突出部が入るように、後ろ向きに設けられており、そして該欠け口の上下の幅及び該二位置決め槽間の距離が釣り合いよく配置されていることが好ましい。
【考案の効果】
【０００６】
本考案の検知機能付き電気コネクタは、上記の構成により、次のような格別な効果を奏する。
（１）検知端子の設置により、この検知端子で、オス端子が差し込んでいるかを識別することができる。この場合、オス端子が正しく連結キャビティーに差し込まれると、検知端子がオス端子の筐体に突き当たり、電気的接続を行い、スイッチ効果を実現して、オス端子と電気コネクタ間の信号伝送の正常性が保証され、電気コネクタの使用性能が向上して、電気コネクタの使用寿命を延ばすことができる。
（２）突出部は絶縁本体の上に設置され、突出部が金属筐体からはみ出すように設けられて、この突出部の中にスロットが設けられ、このスロットに検知端子が位置決めされるので、このスロットで検知端子がオス端子の筐体に接触しているかを見ると同時に、検知端子の接触部が柔軟に変形する空間が増え、接触部とオス端子とが筐体へ接触する安定性と信頼性が保証されることになる。
【図面の簡単な説明】
【０００７】
【図１】従来の電気コネクタの構成を示す分解斜視図
【図２】本考案の一実施の形態における電気コネクタの構成を示す組み立て後の斜視図
【図３】同電気コネクタの特に絶縁本体、導電端子、金属筐体及び検知端子の各構成を示す分解斜視図
【図４】同電気コネクタの特に絶縁本体、導電端子、金属筐体及び検知端子の組み立て手順を示す一部分解斜視図
【図５】同電気コネクタの構成を示す断面図
【考案を実施するための形態】
【０００８】
次に、この考案を実施するための形態について図２〜図５を用いて説明する。
図２〜図５に示すように、電気コネクタは、一つの絶縁本体１０と、複数の導電端子２０と、一つの金属筐体３０と、一つの検知端子４０とを備えて構成される。
【０００９】
絶縁本体１０は、台座１１と、舌状板１２とを備えてなる。この場合、舌状板１２は台座１１の上から一体的に前向きに伸ばされる。また、絶縁本体１０の側面上から突出部１３が伸ばされる。この突出部１３の中にスロット１４が設けられる。スロット１４は固定槽１４１と讓位槽１４２を備えてなる。この場合、讓位槽１４２は外側に向けて幅が広げられ、讓位槽１４２と固定槽１４１の前端が連結し、讓位槽１４２の前端に開口１４３が設けられ、開口１４３の前側に係止壁１４４が設けられる。突出部１３の外側面に対して内側（言い換えれば、絶縁本体１０の側面と突出部１３との間）の上下各部にそれぞれ位置決め槽１０１が設けられる。このようにして絶縁本体１０に複数の端子槽１０２が設けられる。
【００１０】
複数の導電端子２０のソケットはそれぞれ対応する端子槽１０２の中に設けられる。これらの導電端子２０はすべて、順次、一体成形により、連結される接触部２１、固定部２２及び溶接部２３を備えてなり、接触部２１はそれぞれ舌状板１２の外に露出され、固定部２２と絶縁本体１０は干渉結合し、溶接部２３はすべて台座１１の外にはみ出されて、外部の電子基板と溶接され、電気的接続が行われる。
【００１１】
金属筐体３０は、絶縁本体１０の外側を被覆するように設けられ、金属筐体３０と舌状板１２が囲んで連結キャビティー１０３が形成される。連結キャビティー１０３は、オス端子を差し込むのに使用される。金属筐体３０は主体３１と後ろ蓋３２とにより構成される。主体３１は天板３１１、底板３１２、及び天板３１１と底板３１２間を連結するための側板３１３を備えてなり、これら天板３１１、底板３１２及び側板３１３により取り囲まれて空キャビネット３０１が形成される。後ろ蓋３２は、天板３１１の後端面から下向きに折り曲げられ、延ばされ、キャビネット３０１の後端の開口を蓋するように設けられる。側板３１３上に欠け口３０２が設けられる。この欠け口３０２は突出部１３が入るように、後ろに向けて形成され、そして欠け口３０２の上下の幅が２つの位置決め槽１０１間の距離と釣り合いよく設けられ、突出部１３が欠け口３０２を通して金属筐体３０の外へはみ出すように配置される。欠け口３０２の上縁と下縁はそれぞれ対応する突出部１３の内側上下の各位置決め槽１０１に嵌め合わせられ、よい位置決めができることになる。
【００１２】
検知端子４０は、突出部１３のスロット１４の中に位置決めされる。この検知端子４０は順次一体成形により連結される接触部４１、固定部４２及び溶接部４３を備えており、接触部４１は欠け口３０２から連結キャビティー１０３に入って、オス端子の筐体と接触し、スイッチ効果を実現させることになり、また、接触部４１は讓位槽１４２の中に設けられ、図５に示すように、讓位槽１４２は、接触部４１が柔軟に変形する空間で、接触部４１は開口１４３に露出されて、接触部４１がオス端子の筐体に接触しているかを見ると同時に、接触部４１の前端が係止壁１４４の外側面に突き当てられて、接触部４１とオス端子の筐体との接触がしっかりと行われるようになる。固定部４２は、固定槽１４１の中に嵌められ、突出部１３の上に設けられる。溶接部４３は固定部４２に対して、垂直に折り曲げられ、伸ばされて、溶接部４３は台座１１の外にはみ出され、外部の電子基板と溶接され、電気的接続が行われるようになる。
【００１３】
この電気コネクタの組み立ては次のように行われる。
図３及び図４に示すように、まず、各導電端子２０を絶縁本体１０に差し込み固定して、各導電端子２０の接触部２１を下向きで舌状板１２に露出させ、各導電端子２０の溶接部２３を下向きに台座１１の外へはみ出すようにし、それと同時に、検知端子４０を突出部１３のスロット１４の中に位置決めして、検知端子４０の接触部４１を讓位槽１４２の中に入れ、接触部４１の前端を係止壁１４４の外側面に突き当て、固定部４２を固定槽１４１の中に嵌め込み、溶接部４３を下向きにして台座１１の外へはみ出すように組み立てる。次いで、絶縁本体１０を金属筐体３０の後端からキャビネット３０１の中に差し込んで、金属筐体３０で絶縁本体１０を被覆し、金属筐体３０と絶縁本体１０の舌状板１２が囲んで連結キャビティー１０３が形成されると同時に、突出部１３を欠け口３０２を通して、金属筐体３０の外へはみ出すように組み立てる。最後に、後ろ蓋３２を下向きに折り曲げて、キャビネット３０１の後端のスイッチを蓋し、絶縁本体１０をキャビネット３０１の中に固定して、この電気コネクタの組み立てを完了する（図２）。
【００１４】
この電気コネクタを使用する時は、オス端子を金属筐体３０の前端にある開口から、連結キャビティー１０３へ差し込んで、正しく挿入すると、検知端子４０の接触部４１がオス端子の筐体の上に突き当たり、電気的接続が行われ、スイッチ作用を実現する。
【００１５】
特に説明しておくことは、検知端子４０の設置位置は、絶縁本体１０の側面に限られず、絶縁本体１０の上面または底面でもよく、この場合、それに対応する突出部１３が絶縁本体１０の上面または底面に、金属筐体３０の欠け口３０２がそれに対応する金属筐体３０の上面または底面に設けられることになり、このようにしてもよいスイッチ効果を実現することができる。したがって、検知端子４０の設置位置は制限されない。
【００１６】
以上説明したように、この電気コネクタによれば、次のような効果を奏する。
（１）検知端子の設置により、この検知端子で、オス端子が差し込まれているかを検知することができる。すなわち、オス端子を正しく連結キャビティーに差し込むと、検知端子がオス端子の筐体に突き当たり、電気的接続を行う、スイッチ効果を実現し、オス端子と電気コネクタ間の信号が正常に伝送されることが保証され、電気コネクタの使用性能が向上し、電気コネクタの使用寿命が延びることになる。
（２）突出部が絶縁本体上に設置され、金属筐体からはみ出すように配置されており、この突出部の中にスロットが設けられて、このスロットに検知端子が位置決めされるので、このスロットで検知端子がオス端子の筐体に接触しているかを見ることができると同時に、検知端子の接触部が柔軟に変形できる空間が増え、接触部とオス端子が筐体へ接触する安定性と信頼性が保証されることになる。
【００１７】
以上は、本考案の好適な実施例のみに関する内容であり、それを以って、本考案の実用新案登録請求の範囲が何ら制限されることはなく、上述の実施の形態に対して何らかの些細な改造などの変化や変更を行っても、すべて本考案の技術範囲に含まれるものである。
【符号の説明】
【００１８】
１０′絶縁本体
２０′導電端子
３０′金属筐体
１０  絶縁本体
１１  台座
１２  舌状板
１３  突出部
１４  スロット
１４１  固定槽
１４２  讓位槽
１４３  開口
１４４  係止壁
１０１  位置決め槽
１０２  端子槽
１０３  連結キャビティー
２０  導電端子
２１  接触部
２２  固定部
２３  溶接部
３０  金属筐体
３１  主体
３１１  天板
３１２  底板
３１３  側板
３２  後ろ蓋
３０１  キャビネット
３０２  欠け口
４０  検知端子
４１  接触部
４２  固定部
３  溶接部
【図１】
0003172188.tif 000003
【図２】
0003172188.tif 000004
【図３】
0003172188.tif 000005
【図４】
0003172188.tif 000006
【図５】
0003172188.tif 000007